【手続補正書】
【提出日】平成15年9月12日(2003.9.12)
【手続補正１】
【補正対象書類名】明細書
【補正対象項目名】特許請求の範囲
【補正方法】変更
【補正の内容】
【特許請求の範囲】
【請求項１】
ディスクドライブ本体部と一体となってディスクドライブ装置を構成し、ディスクを収納したマガジンの前記ディスクドライブ本体部への着脱に応じて、ディスククランプ位置あるいはマガジンと干渉しない位置まで回転軸の方向に移動するディスク駆動モータにおいて、
モータフレームと、
前記モータフレーム上に設けられ、前記モータフレームに固着されているブラケットと、一体となって回転する、前記ブラケットに軸受けを介して回転自在に支持されている回転軸と、ディスククランプ面と、界磁マグネットを含むロータと、前記界磁マグネットとギャップを挟んで対向する位置に設けられているステータとを有するモータ本体部と、
前記移動の際、前記ディスクドライブ本体部の一部と組み合わされ、前記モータ本体部をガイドし、回転軸方向に移動させるガイド部材とディスククランプ位置で前記マガジンの位置決めをする位置決め部材とを具備し、前記ガイド部材と前記位置決め部材の一部もしくは全部が前記モータフレームにモールド材で一体的に成形されているか、若しくは一体成形により固定されていることを特徴とするディスク駆動モータ。
【請求項２】
前記ガイド部材がピン状若しくはカム状の第１のガイド部材と孔状の第２のガイド部材であり、前記位置決め部材が凸状のマガジン位置決め部材であることを特徴とする請求項１記載のディスク駆動モータ。
【請求項３】
前記ブラケットがブラケット固定部となるモールド材で、前記モータフレームに一体的に成形されていることを特徴とする請求項１記載のディスク駆動モータ。
【請求項４】
前記ブラケット固定部に成形収縮の圧力制御用溝あるいは孔を設けたことを特徴とする請求項３記載のディスク駆動モータ。
【請求項５】
前記ブラケットが前記モータフレームに一体成形される際、前記モータフレームに対する固着力を高めるため、前記ブラケットのフランジ部に勾配を設けたことを特徴とする請求項１記載のディスク駆動モータ。
【請求項６】
前記ステータを、前記モータフレーム上にモールド材で成形されたリング部材上に固定したことを特徴とする請求項１記載のディスク駆動モータ。
【請求項７】
ディスクドライブ本体部と一体となってディスクドライブ装置を構成し、ディスクを収納したマガジンの前記ディスクドライブ本体部への着脱に応じて、ディスククランプ位置あるいはマガジンと干渉しない位置まで回転軸の方向に移動するディスク駆動モータにおいて、
モータフレームと、
前記モータフレーム上に設けられ、前記モータフレームに固着されているブラケットと、一体となって回転する、前記ブラケットに軸受けを介して回転自在に支持されている回転軸と、ディスククランプ面と、界磁マグネットを含むロータと、前記界磁マグネットとギャップを挟んで対向する位置に設けられているステータとを具備しているモータ本体部と、
前記モータフレーム上でモータ本体部の外側の複数箇所に、モールド材で前記モータフレームと一体的に成形された凸状の基準面部材であって、ディスククランプ時にその基準面が前記ディスクドライブ本体部に当接して、前記ディスククランプ面を前記ディスクに対して回転軸方向に位置決めする基準面部材と、を具備していることを特徴とするディスク駆動モータ。
【請求項８】
前記基準面部材のディスクドライブ本体部との当接面である基準面の面積が０．６ｍｍ2 〜６．５ｍｍ2 であることを特徴とする請求項７記載のディスク駆動モータ。
【請求項９】
ディスクドライブ本体部と一体となってディスクドライブ装置を構成し、ディスクを収納したマガジンの前記ディスクドライブ本体部への着脱に応じて、ディスククランプ位置あるいはマガジンと干渉しない位置まで回転軸の方向に移動するディスク駆動モータにおいて、
モータフレームと、
前記モータフレーム上に設けられ、前記モータフレームに固着されているブラケットと、一体となって回転する、前記ブラケットに軸受けを介して回転自在に支持されている回転軸と、ディスククランプ面と、界磁マグネットを含むロータと、前記界磁マグネットとギャップを挟んで対向する位置に設けられているステータとを有するモータ本体部と、
前記モータフレームの前記ブラケットが取り付けられている部分の外側に長孔が設けられていることを特徴とするディスク駆動モータ。
【請求項１０】
前記長孔がモールド材で充填されていることを特徴とする請求項９項記載のディスク駆動モータ。
【手続補正２】
【補正対象書類名】明細書
【補正対象項目名】０００３
【補正方法】変更
【補正の内容】
【０００３】
このようなディスク駆動モータはディスクを回転するモータ本体部と、モータ本体部を取り付け、ディスクドライブ本体部の部材と組み合わせ、前記移動に際し、モータ本体部をガイドし位置決めする複数の部材（以下、ガイド位置決め部材と称す）を有するモータフレームとから構成されている。従来のディスク駆動モータにおいては、モータ本体部はフランジ部をビス等でモータフレームに固定されており、複数のガイド位置決め部材は例えばガイドピン、ガイド孔、位置決め基準面部材等であり、これらの部材は金属で製作され、モータフレームの所定の位置に１個１個別々にカシメ等により固着されている。また、モータ本体部に含まれるブラケットはモータフレーム上にカシメにより固定されている。


【手続補正３】
【補正対象書類名】明細書
【補正対象項目名】０００７
【補正方法】変更
【補正の内容】
【０００７】
また、モータ本体部の振動がリジッドな金属製の部材の組み合わせにそのまま伝わるので、騒音が大きくなるという問題点もある。更に、複数のガイド位置決め部材は金属製で別々に作られるのでコストが高くなり、また一個一個モータフレームの所定の位置に組み立てられるので、組立工数が大きくなり、部材自身の寸法誤差や個々の組立に伴う取り付け誤差が積算され寸法精度が低下するという問題点もある。


【手続補正４】
【補正対象書類名】明細書
【補正対象項目名】０００９
【補正方法】変更
【補正の内容】
【０００９】
【課題を解決するための手段】
請求項１のディスク駆動モータは、ディスクドライブ本体部と一体となってディスクドライブ装置を構成し、ディスクを収納したマガジンの前記ディスクドライブ本体部への着脱に応じて、ディスククランプ位置あるいはマガジンと干渉しない位置まで回転軸の方向に移動するディスク駆動モータにおいて、モータフレームと、前記モータフレーム上に設けられ、前記モータフレームに固着されているブラケットと、一体となって回転する、前記ブラケットに軸受けを介して回転自在に支持されている回転軸と、ディスククランプ面と、界磁マグネットを含むロータと、前記界磁マグネットとギャップを挟んで対向する位置に設けられているステータとを具備しているモータ本体部と、前記移動の際、前記ディスクドライブ本体部の一部と組み合わされ、前記モータ本体部をガイドし、回転軸方向に移動させるガイド部材と、ディスククランプ位置で前記マガジンの位置決めをする位置決め部材とを具備し、前記ガイド部材と前記位置決め部材の一部もしくは全部が前記モータフレームにモールド材で一体的に成形されているか、若しくは一体成形により固定されていることを特徴とする。


【手続補正５】
【補正対象書類名】明細書
【補正対象項目名】００１１
【補正方法】変更
【補正の内容】
【００１１】
請求項４のディスク駆動モータは、前記ブラケット固定部に成形収縮の圧力制御用溝あるいは孔を設けていることを特徴とする。請求項５のディスク駆動モータは、前記ブラケットが前記モータフレームに一体成形される際、前記モータフレームに対する固着力を高めるため、前記ブラケットのフランジ部に勾配を設けていることを特徴とする。


【手続補正６】
【補正対象書類名】明細書
【補正対象項目名】００１２
【補正方法】変更
【補正の内容】
【００１２】
請求項６のディスク駆動モータは、前記ステータを、前記モータフレーム上にモールド材で成形されたリング部材上に固定していることを特徴とする。請求項７のディスク駆動モータは、ディスクドライブ本体部と一体となってディスクドライブ装置を構成し、ディスクを収納したマガジンの前記ディスクドライブ本体部への着脱に応じて、ディスククランプ位置あるいはマガジンと干渉しない位置まで回転軸の方向に移動するディスク駆動モータにおいて、モータフレームと、前記モータフレーム上に設けられ、前記モータフレームに固着されているブラケットと、一体となって回転する、前記ブラケットに軸受けを介して回転自在に支持されている回転軸と、ディスククランプ面と、界磁マグネットを含むロータと、前記界磁マグネットとギャップを挟んで対向する位置に設けられているステータとを具備しているモータ本体部と、前記モータフレーム上でモータ本体部の外側の複数箇所に、モールド材で前記モータフレームと一体的に成形された凸状の基準面部材であって、ディスククランプ時に、その基準面が前記ディスクドライブ本体部に当接して、前記ディスククランプ面を前記ディスクに対して回転軸方向に位置決めする基準面部材とを具備していることを特徴とする。


【手続補正７】
【補正対象書類名】明細書
【補正対象項目名】００１３
【補正方法】変更
【補正の内容】
【００１３】
請求項８のディスク駆動モータは前記基準面部材のディスクドライブ本体部への当接面である基準面の面積が０．６ｍｍ2 〜６．５ｍｍ2であることを特徴とする。請求項９のディスク駆動モータは、ディスクドライブ本体部と一体となってディスクドライブ装置を構成し、ディスクを収納したマガジンの前記ディスクドライブ本体部への着脱に応じて、ディスククランプ位置あるいはマガジンと干渉しない位置まで回転軸の方向に移動するディスク駆動モータにおいて、モータフレームと、前記モータフレーム上に設けられ、前記モータフレームに固着されているブラケットと、一体となって回転する、前記ブラケットに軸受けを介して回転自在に支持されている回転軸と、ディスククランプ面と、界磁マグネットを含むロータと、前記界磁マグネットとギャップを挟んで対向する位置に設けられているステータとを有するモータ本体部と、前記モータフレームの前記ブラケットが取り付けられている部分の外側に長孔が設けられていることを特徴とする。


【手続補正８】
【補正対象書類名】明細書
【補正対象項目名】００１６
【補正方法】変更
【補正の内容】
【００１６】
本発明のガイド位置決め部材はモールド材で、モータフレーム上に形成されるか、もしくはアウトサートの際、モールド材でモータフレーム上に固定される。従って、モータ本体部で発生した振動はモータフレームに伝わるが、ディスクドライブ本体部と組み合わされる前記ガイド位置決め部材が、金属と比較して可撓性のある剛性の低いモールド材で形成されるか、もしくはモールド材でモータフレームに固定されているので、これらの部材を経てディスクドライブ本体部に伝わる際大幅に減衰される。従ってモータ本体部で発生した振動は、ディスクドライブ本体部に影響を与えず、ディスクドライブ装置におけるディスクを介した信号の書き込み・読み出しエラーをなくし、また騒音も低く抑えることができる。


【手続補正９】
【補正対象書類名】明細書
【補正対象項目名】００１９
【補正方法】変更
【補正の内容】
【００１９】
ディスクを収納したマガジンがディスクドライブ本体部に装着されたとき、そのマガジン位置決めをする部材もモータフレーム上にモールド材の一体成形により設けることができる。ディスク駆動モータがディスククランプ位置にあるときマガジン位置決め部材の凸部がマガジンの位置決め用凹部に当接しマガジンをディスクドライブ本体部内で位置決めする。マガジン位置決め部材も可撓性のあるモールド材で形成されているため、振動の伝達抵抗が大きく、マガジンに振動の影響が及ぶことはない。前記の如く第１のガイド部材も第２のガイド部材もマガジン位置決め部材も振動を減衰する作用をする結果、振動に伴う騒音も低く抑えることができる。また、これらの部材は１回の成形で同時に作られることから、組立工数や部材費も極めて低くすることができる。


【手続補正１０】
【補正対象書類名】明細書
【補正対象項目名】００２２
【補正方法】変更
【補正の内容】
【００２２】
請求項４の発明において、ブラケットをモータフレームに固着する際、ブラケット固定部のモールド材が収縮するが、収縮に伴う圧力は圧力制御用溝もしくは孔を通じて成形金型の方で受けるので、ブラケットに不要な圧力がかかることなく、ブラケットの部品精度を損なうことがない。請求項５の発明において、モータフレーム上にモールド成形で固着されるブラケットのフランジ部に勾配を設けることにより、モールド材が収縮する際の圧力をブラケットの勾配部で受け、ブラケットの径方向に向かう圧力がブラケットをモータフレームに押しつける軸方向の圧力に変換されるので、ブラケットとモータフレームとの密着度が高まり、ブラケットの垂直度の精度が向上し、ブラケットの径方向の歪を抑えることができる。
【手続補正１１】
【補正対象書類名】明細書
【補正対象項目名】００２４
【補正方法】変更
【補正の内容】
【００２４】
請求項７の発明において、ディスククランプ時にディスククランプ面をディスクに対してディスク駆動モータの回転軸方向に位置決めする基準面となる凸状の基準面部材をモールド材でモータフレームに一体成形する。前記ディスククランプ面の位置決めの際は、基準面部材の基準面がディスクドライブ本体部に当接される。従って基準面部材を挟んでモータフレームとディスクドライブ本体部が当接することになる。基準面部材は前記の如くモールド材で製作されているので、振動の伝達抵抗が大きい。従って、モータ本体部で発生した振動はモータフレームに伝わるが、基準面部材で減衰され、ディスクドライブ本体部への振動の影響を防止する。また、振動が減衰されることにより、騒音も低く抑えられる。


【手続補正１２】
【補正対象書類名】明細書
【補正対象項目名】００２９
【補正方法】変更
【補正の内容】
【００２９】
【発明の実施の形態】
本発明の詳細な実施形態としては、一般的な光磁気ディスクドライブ装置に本発明を応用したものの例について説明を行う。その光磁気ディスクドライブ装置とは、記録媒体である光磁気ディスクを収納したマガジンを装着する機構を有するとともにディスクの情報を読み取るための光学系を有するディスクドライブ本体部と、ディスクドライブ本体部に装着されたマガジン内の光磁気ディスクを回転駆動するためのディスク駆動モータと、マガジンをディスクドライブ本体部に装着する際にマガジンに作用する力を利用してディスク駆動モータをマガジンに接近させる働きを有するディスク駆動モータ移動機構と、より構成されるものであるが、本発明は、光磁気ディスクドライブ装置を構成するディスク駆動モータに関する発明であるため、ディスク駆動モータの構成と、ディスクドライブ本体部の内の光学系を除いた構成、具体的にはディスク駆動モータと機械的に接続しているディスクドライブ本体部の一部の構成以外についての図示による説明は省略する。


【手続補正１３】
【補正対象書類名】明細書
【補正対象項目名】００３０
【補正方法】変更
【補正の内容】
【００３０】
（実施の形態１）図１乃至図１２を参照して実施の形態１を説明する。図１は本実施の形態におけるディスク駆動モータ１及びディスクドライブ本体部の一部を正面（マガジン５が挿入される側と反対方向）より見た一部断面図であってマガジン５が装着されていない状態（非装着時）を示す図（他の部材との関係上、マガジン５が装着された位置を２点鎖線で図示してある）、図２は図１の右側面図、図３は本実施の形態におけるディスク駆動モータ１及びディスクドライブ本体部の一部を正面より見た一部断面図であってマガジン５が装着されている状態（装着時）を示す図、図４は図３の右側面図、図５はディスク駆動モータ１の平面図、図６はモータ本体部の断面図、図７はモータフレームの平面図、図８は図７のＢ−Ｂ断面図、図９は図７の右側面図、図１０は図７のＣ−Ｃ断面図、図１１は図７のＤ−Ｄ断面図、図１２は第２のガイド部材の詳細を示す拡大図である。


【手続補正１４】
【補正対象書類名】明細書
【補正対象項目名】００３１
【補正方法】変更
【補正の内容】
【００３１】
図１に示す通り、本実施の形態におけるディスク駆動モータ１は、図示省略したディスク駆動モータ移動機構により上下動自在となるよう、ディスクドライブ本体部を構成するシャーシ４及びスライド板１０（両者共に２点鎖線にて図示。）の下方に配置されている。ディスク駆動モータ１を構成する各部材は全て鋼板製の単板からなるモータフレーム３に配置されているのであるが、その中でも中心となるのはモータフレーム３上に組み立てられたモータ本体部２である。


【手続補正１５】
【補正対象書類名】明細書
【補正対象項目名】００３２
【補正方法】変更
【補正の内容】
【００３２】
このモータ本体部２の上部には、マガジン５内に収納された光磁気ディスク６を磁力にて吸引してクランプするためのディスククランプ面１６がマガジン５を装着する金属製のシャーシ４と平行に設けられている。シャーシ４の下面には金属製のスライド板１０がシャーシ４の下面に対して平行に、かつ、紙面に対して垂直方向にスライド可能となるように取り付けられており、このスライド板１０には、プレス加工により垂直に曲げられることでディスク駆動モータ１側に延びているスライドカム７ａ、７ｂが一体化して設けられているとともに、スライドカム７ａの紙面に対して奥側にはスライドカム７ｃ（図示省略）が、スライドカム７ｂの紙面に対して奥側にはスライドカム７ｄ（図示省略）が同様に一体化して設けられている。


【手続補正１６】
【補正対象書類名】明細書
【補正対象項目名】００３７
【補正方法】変更
【補正の内容】
【００３７】
第２のガイド部材１３ａ、１３ｂはアウトサート成形によりモータフレーム３と一体化するよう形成されており、これらの構造については、左右対称である以外は双方共に同一であるため、一方の第２のガイド部材１３ａを例に、図１２を用いて説明する。図１２に示す通り、第２のガイド部材１３ａは、プレス等の機械加工によりモータフレーム３の角部に設けられた切り欠き１３ａ３、１３ａ４、及び、孔１３ａ２（夫々図１２中において破線で図示）を覆うように、かつ、孔１３ａ２と同軸に孔１３ａ２より小さめの貫通孔であるガイド孔１３ａ１を成形金型のピンにより貫通孔として形成するよう、アウトサート成形により樹脂を充填して形成されたものであり、ガイド孔１３ａ１は、図１にて図示のシャーシ４に垂直方向に延びて固着された金属製の支柱８ａがスライドするため、ガイド孔１３ａ１の寸法は、支柱８ａががたつき無くスライド可能な寸法に仕上げられている。


【手続補正１７】
【補正対象書類名】明細書
【補正対象項目名】００４２
【補正方法】変更
【補正の内容】
【００４２】
尚、ディスククランプ面１６の移動はガイドピン１１ａ等と第２のガイド部材１３ａ等のガイド作用により、左右前後にフレたり傾いたり回転したりすることなく、シャーシ４とシャーシ４上に装着されるマガジン５内のディスク６と平行な状態を保ちつつなされる。図１において、シャーシ４上に金属製のディスクドライブ本体部のモータ当接面９ａ、９ｂがシャーシ４と一体に設けられている。


【手続補正１８】
【補正対象書類名】明細書
【補正対象項目名】００４７
【補正方法】変更
【補正の内容】
【００４７】
図２および図４において、符号１７で示すのはマガジン５の装着の有無を検出する凸状のマガジン検出スイッチである。マガジン５が装着されていない図２の位置では、マガジン検出スイッチ１７はシャーシの下にあり、オフの状態であるが、図４のマガジン５がディスクドライブ本体部に装着された状態では、マガジン５の壁によりマガジン検出スイッチ１７が押されてオンになり、その信号が図示しない制御回路に入力されることにより、ディスク駆動モータ１のモータ本体部２に通電可能な状態にされ、後述するモータ本体部２のロータが回転を開始可能となる。従って、マガジン５が装着され、前記の如くディスク６がモータクランプ面１６にクランプされ位置決めがなされると同時に、前記ロータが回転可能な状態とされ、読み出しまたは書き込み指令により、実際の回転が開始される。


【手続補正１９】
【補正対象書類名】明細書
【補正対象項目名】００４８
【補正方法】変更
【補正の内容】
【００４８】
図５は本実施の形態におけるディスク駆動モータ１の平面図である。同図において、モータ本体部２がモータフレーム３のほぼ中央に配置されており、ディスククランプ面１６及び回転軸２６が図示されている。図５の方向から見て、モータ本体部２の右側に配置されている部材は後述するモータ本体部２のステータである巻線コイル３１やホール素子３２ａ等と外部の図示しない制御回路とを電気的に接続するパターンを有するフレキシブル基板１８であり、モータ本体部２下面まで延びて固定される他、固定ビス１９でモータフレーム３に固定されている。


【手続補正２０】
【補正対象書類名】明細書
【補正対象項目名】００５０
【補正方法】変更
【補正の内容】
【００５０】
マガジンガイド部材１４ａ、１４ｂも装着時にマガジン５の位置決め孔に当接する位置でモータフレーム３上に設けられている。更に、第２のガイド部材１３ａ、１３ｂも、図示しない前記シャーシ４に固着された支柱８ａ、８ｂと係合する位置でモータフレーム３上に設けられている。モータ本体部２の外側には、モータ本体部２を取り囲むように基準面部材１５ａ、１５ｂ、１５ｃが、図示しない前記シャーシ４のモータ当接面９ａ、９ｂ、９ｃに対応する位置でモータフレーム３上に設けられている。


【手続補正２１】
【補正対象書類名】明細書
【補正対象項目名】００５２
【補正方法】変更
【補正の内容】
【００５２】
図６は図５のＡ−Ａより見た断面図である。図６は主としてモータ本体部２の断面を示す。図６に示すように、ステンレス製のブラケット２２がモータフレーム３に開けられた孔に装着され、ポリアセタール樹脂の成形体であるブラケット固定部２３により、モータフレーム３と垂直となるようにモータフレーム３に固着されている。ブラケット２２の内面にはボールベアリグ２４、２５が接着固定されている。ボールベアリング２４、２５はステンレス製の回転軸２６を回転自在に支持している。


【手続補正２２】
【補正対象書類名】明細書
【補正対象項目名】００５３
【補正方法】変更
【補正の内容】
【００５３】
アルミニュウム製のロータフレーム２７が回転軸２６に圧入されており、回転軸２６と一体化され回転される。ロータフレーム２７の上面は前記ディスククランプ面１６となり、また下面にはリング状でネオジウム焼結マグネットからなる界磁マグネット２８が接着されている。界磁マグネット２８の外周部には磁性体であるメッキ鋼板からなるロータヨーク２９が配置され、界磁マグネット２８とロータフレーム２７に接着されている。ロータヨーク２９は界磁マグネット２８の外周面及び上面の一部を覆って、界磁マグネット２８の漏れ磁束がディスク６に入らないように、界磁マグネット２８をシールドしている。本実施の形態では、回転軸２６とロータフレーム２７とその一部であるディスククランプ面１６と界磁マグネット２８とロータヨーク２９でロータを構成している。


【手続補正２３】
【補正対象書類名】明細書
【補正対象項目名】００５７
【補正方法】変更
【補正の内容】
【００５７】
図８において、第２のガイド部材１３ａの左側にはモータフレーム３の一部に孔を開けて、基準面部材１５ａがアウトサート成形によりモータフレーム３に固着されている。基準面部材１５ａの左側にはブラケット２２がポリアセタール樹脂の成形体であるブラケット固定部２３により、モータフレーム３に固着されている。この部分を拡大した図が図７のＣ−Ｃ方向から見た断面図である図１０である。図１０において、ブラケット２２はボールベアリング２４、２５とボールベアリング２４、２５により回転自在に支持される回転軸２６を収納するため、中空円筒形状となっており、その下部には勾配２２ａがあるフランジが設けられている。ブラケット２２はモータフレーム３に開けられた孔にフランジ部等で当てつけるように装着され、フランジの周りをアウトサート成形により樹脂からなるブラケット固定部２３で固めて、モータフレーム３に固着される。図の向かって右側のブラケット固定部２３はモータフレーム３の一部を切り欠き、その切り欠き部分にも樹脂を充填して固着力を強化している。ブラケット固定部には圧力制御用の溝２３ａを設け、射出圧力や冷却収縮（成形収縮）の際発生する大きな圧力の一部を成形金型で受けるようにして、ブラケット２２の径方向に大きな圧力がかかり、ブラケッット２２が歪むのを防止している。また、ブラケット２２のフランジの勾配２２ａは樹脂の収縮の際におけるブラケット２２の径方向への圧力を軸方法に変換してブラケット２２のモータフレーム３への密着度を上げることにより、ブラケット２２のモータフレーム３に対する垂直度の精度をあげることができるようになっている。なお、ブラケット固定部２３には圧力制御用に溝２３ａを設けたが、溝ではなく孔であっても同様に、射出圧力や収縮圧力を成形金型で受けて、ブラケットの径方向に圧力が加わることを防止できる。


【手続補正２４】
【補正対象書類名】明細書
【補正対象項目名】００５８
【補正方法】変更
【補正の内容】
【００５８】
図８において、ブラケット２２の左側の孔は図７における長孔２１ｂの断面であり、樹脂が充填されている。図８において、左端に第１のガイド部材であるガイドピン１１ｂ及びガイドピン固定部１２ｂが図示されている。モータフレーム３の一部が切り欠かれ、その切り欠き部分とその周囲に樹脂を充填しアウトサート成形することにより、ガイドピン固定部１２ｂを形成し、ガイドピン１１ｂをモータフレーム３に固定する。また、図７に示すように、図に向かってガイドピン固定部１２ｂの上下に１つずつモータフレーム３に孔を開け樹脂を充填した補強部１２ｂ１が設けられている。補強部１２ｂ１の樹脂はモータフレーム３の裏面で固定部１２ｂの樹脂と一体化され成形されている。従って、ガイドピン１１ｂは確実にモータフレーム３に固着される。他のガイドピン１１ａ、１１ｃ，１１ｄも同様にそれぞれガイドピン固定部１２ａ、１２ｃ、１２ｄによりモータフレーム３に固着されている。


【手続補正２５】
【補正対象書類名】明細書
【補正対象項目名】００６０
【補正方法】変更
【補正の内容】
【００６０】
１５ｃ１及び１５ｃ２は基準面部材１５ｃの補強部であり、モータフレーム３の裏面で基準面部材１５ｃと一体化され、基準面部材１５ｃを確実にモータフレーム３に固着させる作用をする。同図で符号３４で示すのは基準面部材１５ｃが成形されるときの成形金型のピンゲートを示し、２点鎖線で図示されている。ピンゲート３４が補強部１５ｃ２の下に設けられているのは、ゲート付近はヒケ等が発生し寸法精度が低下するので、基準面部材１５ｃから離れた位置に配置し、補強部１５ｃ２からモータフレーム３の下面の溝を経て基準面部材１５ｃに樹脂が充填されるようにして、基準面部材１５ｃにヒケ等の影響が及ぶことを防止し、基準面となる基準面部材１５ｃの上面のモータドライブ本体部との平行度や高さ等の寸法精度を確保している。なお、上記の如く、基準面部材１５ｃの形状を基準面の面積が約３．１４ｍｍ2 の円筒状としたが、凸状で、ディスクドライブ本体部に当接する基準面の面積が所定の大きさであれば、他の形状でもかまわない。


【手続補正２６】
【補正対象書類名】明細書
【補正対象項目名】００６２
【補正方法】変更
【補正の内容】
【００６２】
上記構成による作用を説明する。本実施の形態におけるディスク駆動モータ１はいわゆるアキシャルギャップタイプの３相ブラシレスコアレスモータである。トルクを発生する界磁マグネット２８とステータである巻線コイル３１が回転軸方向即ちアキシャル方向で対向配置されており、界磁マグネット２８は１２極にその厚さ方向に着磁され、ステータは９個の巻線コイル３１で構成されており、３相駆動ができるようになっている。界磁マグネット２８の磁極を検出するのはホール素子３２ａ、３２ｂの２個で、２相分であるが、もう１相分は演算処理により検出する。またステータはコアを含まずコイル巻線３１のみである。従って、本実施の形態におけるディスク駆動モータ１は上記タイプのモータとなる。


【手続補正２７】
【補正対象書類名】明細書
【補正対象項目名】００６６
【補正方法】変更
【補正の内容】
【００６６】
上記ガイドピン１１ａ〜１１ｄの移動と同時に第２のガイド部材１３ａ、１３ｂも支柱８ａ、８ｂに沿ってスライドする。このとき、支柱８ａ、８ｂは金属製で、これに対応するガイド孔１３ｂ１、１３ｂ２は樹脂製であるため、摩擦抵抗は小さく抑えられる。また、第２のガイド部材１３ａ、１３ｂと支柱８ａ、８ｂの係合は、モータ本体部２が移動の際、回転するのを防止する。上記の如く、ガイドピン１１ａ〜１１ｄと第２のガイド部材１３ａ、１３ｂはそれぞれスライドカム７ａ〜７ｄと支柱８ａ、８ｂとに係合して、モータ本体部２のディスククランプ面１６がシャーシ４と平行に、従って、装着されるマガジン５のディスク６と平行な状態で、回転軸方向に移動させる役割を果たす。


【手続補正２８】
【補正対象書類名】明細書
【補正対象項目名】００７０
【補正方法】変更
【補正の内容】
【００７０】
即ち、第１のガイド部材であるガイドピン１１ａ〜１１ｄは樹脂成形体であるガイドピン固定部１２ａ〜１２ｄでモータフレーム３に固定されており、また第２のガイド部材１３ａ、１３ｂ、マガジンガイド部材１４ａ、１４ｂ、基準面部材１５ａ、〜１５ｃもそれぞれ樹脂の成形体でモータフレーム３上に形成され、これらの部材がディスクドライブ本体部やマガジン５と接触しても、剛性が低く振動の伝達抵抗が大きい樹脂の部分で振動が大幅に軽減され、または吸収されてディスクドライブ本体部に伝わることを防止している。また、モータフレーム３は鋼板製で本来はリジットな部材であるが、長孔２１ａ、２１ｂを設けることにより、その剛性を下げ、この長孔部分で振動を吸収する作用をする。従って、振動が軽減され、吸収されることに伴い、騒音も低く抑えられる。


【手続補正２９】
【補正対象書類名】明細書
【補正対象項目名】００７２
【補正方法】変更
【補正の内容】
【００７２】
本実施の形態においては、モータフレーム３上に各部材を一体成形により形成若しくは固定する第１のガイド部材、第２のガイド部材、位置決め部材、基準面部材等の成形用の樹脂材料をポリアセタール樹脂としたが、ポリカーボネート、ポリブチレンテレフタレート等の他の樹脂材料でも同様の作用効果が得られる。また、本実施の形態において、第１のガイド部材であるガイドピン１１ａ等をピン状とし、ディスクドライブ本体部のシャーシ４にスライドカム７ａ等を設け、両者を係合させることにより、ディスク駆動モータ１の移動時にガイドの作用をさせたが、逆に、シャーシ４側にガイドピンを設け、モータフレーム上に第１のガイド部材としてスライドカムを樹脂で成形しても同様の作用効果が得られる。


【手続補正３０】
【補正対象書類名】明細書
【補正対象項目名】００７３
【補正方法】変更
【補正の内容】
【００７３】
また、本実施の形態において、第２のガイド部材１３ａ、１３ｂはモータフレーム３に樹脂のアウトサート成形で形成し、樹脂製の孔がガイドとなって、支柱８ａ、８ｂと係合するとしたが、組立工程の都合等により、第２のガイド部材１３ａ、１３ｂがモータフレーム３に開けた金属製の孔であっても、他のディスクドライブ本体部と係合する部材が樹脂製か、または樹脂で固定されていれば、モータ本体部２で発生した振動は十分軽減され、ディスクドライブ本体部に振動の影響が及ぶことはない。


【手続補正３１】
【補正対象書類名】明細書
【補正対象項目名】００７４
【補正方法】変更
【補正の内容】
【００７４】
同様に、ガイドピン１１ａ〜１１ｄの固定部１２ａ〜１２ｄが樹脂製でなくても、他のディスクドライブ本体部と係合する部材が樹脂製ならば、ディスクドライブ本体部への振動の影響を防止できる。また、本実施の形態では、第１のガイド部材、第２のガイド部材、位置決め部材、基準面部材について、ディスクドライブ本体部と係合する部材を樹脂製としてモータフレームと一体に、または樹脂でモータフレームに固定し、さらに、モータフレームに長孔を設けたことで、モータ本体部の振動の軽減を計ったが、長孔を設けることなく、ディスクドライブ本体部と係合する部材を樹脂製としてモータフレームと一体に、または樹脂でモータフレームに固定してもディスクドライブ本体部への振動の影響を防止できる。


【手続補正３２】
【補正対象書類名】明細書
【補正対象項目名】００７５
【補正方法】変更
【補正の内容】
【００７５】
さらに、ディスクドライブ本体部と係合する部材を樹脂製とせず、あるいは樹脂でモータフレームに固定せずに上記長孔を設けることのみでもディスクドライブ本体部への振動の影響を防止できる。また、本実施の形態では、モータのタイプをアキシャルギャップタイプとしたが、モータ本体部２の構成を変えることにより、ラジアルギャップとしても本発明を実施できる。
（実施の形態２）図１３に基づき実施の形態２の説明をする。同図において実施の形態１と同一の部材は同一の符号を付して対応させてある。また、実施の形態１と異なる部分のみ説明し重複する説明は省略する。


【手続補正３３】
【補正対象書類名】明細書
【補正対象項目名】００８１
【補正方法】変更
【補正の内容】
【００８１】
図１６において、符号３６はステータであるいわゆるシートコイルを示す。シートコイル３６は絶縁体であるシート状のエポキシ樹脂中にコイルパターンが形成されており、巻線コイルと比較し、ステータを薄くすることができる。シートコイル３６はモータフレーム３上で同心円上にポリアセタール樹脂でモータフレーム３と一体成形された２重のリング部材３７ａ、３７ｂ上に載置され接着されている。シートコイル３６の下面にはフレキシブル基板１８がシートコイル３６に貼り付けられ配置されている。リング部材３７ａはその外側に配置されている基準面部材３８ｂと一体化されポリアセタール樹脂にて成形されている。基準面部材３８ｂは実施の形態１と同様円筒状であるが、高さが高くなり、内部が中空となっている。内部が中空とされているのは、成形時にヒケ等により基準面部材３８ｂの寸法精度が低下するのを防止することと、リング部材３７ａの高さ寸法精度を確保するためである。図１５に示すように、モータ本体部２の中心から等距離の位置に他の同一形状の基準面部材３８ａ、３８ｃが実施の形態１と同様にモータフレーム３と樹脂の一体成形により配置されている。また図示されていないが、基準面部材３８ｂ等が当接する図示しないディスクドライブ本体部のモータ当接面も基準面部材３８ｂ等の形状に対応した形状となっている。


【手続補正３４】
【補正対象書類名】明細書
【補正対象項目名】００８３
【補正方法】変更
【補正の内容】
【００８３】
図１６の向かって左側にはポリアセタール樹脂でリング部材３７ａと一体にモータフレーム３上に成形されるフレキシブル基板固定部４１が配置されている。フレキシブル基板固定部４１も基準面部材３８ｂ等と同様、モータフレーム３の切り欠きに樹脂を充填してモータフレーム３と一体成形されており、中心に中空部分がある。中空部分を設けたのは、フレキシブル基板固定部４１の高さ寸法精度を確保するためである。フレキシブル基板固定部４１はフレキシブル基板１８を載置すると共に、フレキシブル基板１８上に載置されるシートコイル３６をフラットに保持するためである。


【手続補正３５】
【補正対象書類名】明細書
【補正対象項目名】００８８
【補正方法】変更
【補正の内容】
【００８８】
【発明の効果】本発明によれば、ディスク駆動モータが移動するためにモータフレーム上に設けられるディスクドライブ本体部の一部と係合し、モータ本体部をガイドし位置決めする部材やマガジンを位置決めする部材や基準面部材等が、剛性の低いモールド材でモータフレームに一体に成形されるか、若しくはモールド材でモータフレームに固定されるために、モータ本体部で発生する振動や騒音が大幅に減衰され、またモータフレームに長孔を設けることにより、前記振動を吸収するので、ディスクドライブ本体部への振動の影響が防止され、ひいてはディスクドライブ装置への振動の影響をなくし、ディスクドライブ装置における書き込みや読み出しのエラーを防止でき、また振動に伴う騒音も極めて低く抑えることができる。


【手続補正３６】
【補正対象書類名】明細書
【補正対象項目名】符号の説明
【補正方法】変更
【補正の内容】
【符号の説明】
１  ディスク駆動モータ
２  モータ本体部
３  モータフレーム
４  シャーシ
５  マガジン
６  ディスク
７ａ、７ｂ  スライドカム
８ａ、８ｂ  支柱
１０  スライド板
１１ａ〜１１ｄ  ガイドピン（第１のガイド部材）
１３ａ、１３ｂ  第２のガイド部材
１４ａ、１４ｂ  マガジンガイド部材
１５ａ〜１５ｃ  基準面部材
１６  ディスククランプ面
２１ａ、２１ｂ  長孔
２２  ブラケット
２４  ボールベアリング
２５  ボールベアリング
２６  回転軸
２８  界磁マグネット
３０、４２  補助ヨーク
３１  巻線コイル
３６  シートコイル
３７ａ、３７ｂ  リング部材


【手続補正３７】
【補正対象書類名】図面
【補正対象項目名】図１４
【補正方法】変更
【補正の内容】
【図１４】
1998098862.tif 000001